(57)【要約】【課題】ホールド切替機能をタッチパネルで行なう携帯型オーディオプレーヤ１０において、ホールドモード実施及び解除のユーザ指示を容易にかつ誤操作なく行えるようにする。【解決手段】加速度センサは、携帯型オーディオプレーヤ１０に内蔵されて、携帯型オーディオプレーヤ１０に作用する加速度を検出する。携帯型オーディオプレーヤ１０がホールドモード及び操作待ち受けモードにあるとき（Ｓ３９，Ｓ４９）、ユーザが携帯型オーディオプレーヤ１０を振ると（Ｓ４０，Ｓ５０）、その加速度が加速度センサにより検出されて、携帯型オーディオプレーヤ１０は、操作待ち受けモード及びホールドモードに切替わる（Ｓ４２，Ｓ５１）。【選択図】図３
2010257189.tif 000002
【特許請求の範囲】
【請求項１】
ユーザ操作部として作動するタッチパネル、
加速度を検出する加速度検出器、及び
前記タッチパネルにおけるユーザ操作の無効期間及び有効期間の切替を前記加速度検出器の出力に基づき制御するホールドモード制御手段、
を備えることを特徴とする携帯型電子機器。
【請求項２】
前記加速度検出器は、相互に直角の第１及び第２の方向の加速度を検出し、
前記ホールド機能制御手段は、前記加速度検出器が第１の方向の加速度を検出したときは、前記タッチパネルにおけるユーザ操作の有効期間から無効期間へ切替え、また、前記加速度検出器が第２の方向の加速度を検出したときは、前記タッチパネルにおけるユーザ操作の無効期間から有効期間へ切替えることを特徴とする請求項１記載の携帯型電子機器。
【請求項３】
前記第１及び第２の方向とは、前記携帯型電子機器の上下方向及び左右方向とすることを特徴とする請求項２記載の携帯型電子機器。
【請求項４】
前記ホールドモード制御手段は、所定の加速度での前記加速度検出器による出力に基づき制御することを特徴とする請求項１〜３のいずれかに記載の携帯型電子機器。
【請求項５】
ユーザ操作部として作動するタッチパネルを備える携帯型電子機器の制御方法において、
前記携帯型電子機器に作用する加速度を検出する加速度検出ステップ、及び
前記タッチパネルにおけるユーザ操作の無効期間及び有効期間の切替を前記加速度検出ステップにおける加速度の検出に基づき制御するホールドモード制御ステップ、
を備えることを特徴とする携帯型電子機器用制御方法。
【請求項６】
請求項５記載の携帯型電子機器用制御方法の各ステップをコンピュータに実行させるプログラム。
【発明の詳細な説明】
【技術分野】
【０００１】
本発明は、携帯型オーディオプレーヤ等の携帯型電子機器、方法及びプログラムに関する。
【背景技術】
【０００２】
特許文献１は、加速度センサ装備の携帯電話機を開示する（特許文献１の図２）該携帯電話機では、加速度が検出されると、表示器のバックライトを点灯させたり（特許文献１の図３Ｓ３８Ｙ→Ｓ３９Ｙ→Ｓ３２）、着信音を停止させたり（特許文献１の図４Ｓ５３Ｙ→Ｓ５５）、マナーモードを設定したりしている（特許文献１の図５Ｓ７７Ｙ→Ｓ８０）。
【０００３】
図６（ａ）及び（ｂ）は横長状態でそれぞれ従来の携帯型オーディオプレーヤ８０の正面及び側面を見た外観図である。なお、従来の携帯型オーディオプレーヤ８０に係る図６及び図７において、後述の本発明の実施例の携帯型オーディオプレーヤ１０の要素と同一の要素については携帯型オーディオプレーヤ１０の要素に付した符号と同一の符号で指示して、説明は省略し、主要点についてのみ説明する。
【０００４】
図６において、ホールドスイッチ８１は、本体ケース２８の長辺側の側面部に配設され、長辺方向へスライドするようになっている。ユーザは、ホールドスイッチ８１をそのスライド方向の両端位置へ切替えて、携帯型オーディオプレーヤ８０のホールドモード及び操作待ち受けモード（ホールド解除モード）を切替えるようにしている。
【０００５】
図７は従来の携帯型オーディオプレーヤ８０のハードウェア構成図である。図７において、ＣＰＵ／ＤＳＰ１１は、ホールドスイッチ８１からの検出信号に基づき、ホールドスイッチ８１がスライド方向のどちらの端位置になっているかを判別する。
【０００６】
図８（ａ）及び（ｂ）は携帯型オーディオプレーヤ８０に適用される操作待ち受けモード開始方法８８及びホールドモード開始方法９８のフローチャートである。操作待ち受けモード開始方法８８では、携帯型オーディオプレーヤ８０がホールドモードにあるときに（Ｓ８９）、ユーザがホールドスイッチ８１を一端位置へ切替えると（Ｓ９０）、ホールドモードが解除されて（Ｓ９１）、携帯型オーディオプレーヤ８０は操作待ち受けモードになる（Ｓ９２）。操作待ち受けモードでは、タッチパネル１５に対する一切のユーザ操作が受け付けられて、対応の処理が実施される。
【０００７】
ホールドモード開始方法９８では、携帯型オーディオプレーヤ８０が操作待ち受けモードにあるときに（Ｓ９９）、ユーザがホールドスイッチ８１を他端位置へ切替えると（Ｓ１００）、携帯型オーディオプレーヤ８０はホールドモードになる（Ｓ１０１）。ホールドモードでは、タッチパネル１５における一切のユーザ操作が受け付けられなくなり、ホールドモードへの切替前までのユーザ操作に係る処理が継続する。
【０００８】
図９はホールドモードの切替をタッチパネル１５において行う従来の携帯型オーディオプレーヤ（該携帯型オーディオプレーヤは、図６の従来の携帯型オーディオプレーヤとは異なり、ホールドスイッチ８１を装備していない。）におけるホールド切替制御のフローチャートである。操作待ち受けモード開始方法１０７では、携帯型オーディオプレーヤがホールドモードにあるときに（Ｓ１０８）、ユーザがタッチパネル１５の任意の位置を指でタッチすると（Ｓ１０９）、バックライトがオン（点灯状態）になるとともに、タッチパネル１５におけるホールド解除操作の待ち受けモードになる（Ｓ１１０）。その状態で、ユーザがタッチパネル１５においてホールド解除操作（具体的には、タッチパネル１５におけるホールド解除ボタンへのタッチ操作）を行うと（Ｓ１１１）、操作待ち受けモードになる（Ｓ１１２）。これ以降は、携帯型オーディオプレーヤに対する種々のユーザ操作が受け付けられて、該ユーザ操作に対応する処理が実施される。
【０００９】
ホールドモード開始方法１１７では、携帯型オーディオプレーヤが操作待ち受けモードにあるときに（Ｓ１１８）、ユーザがタッチパネル１５においてホールド設定操作を行うと（Ｓ１１９：具体的には、タッチパネル１５における設定ボタンへのタッチ操作）、携帯型オーディオプレーヤはホールドモードになる（Ｓ１２０）。
【先行技術文献】
【特許文献】
【００１０】
【特許文献１】特開２００２−３５４０９７号公報
【発明の概要】
【発明が解決しようとする課題】
【００１１】
従来の携帯型オーディオプレーヤ８０の問題点を列記すると次のとおりである。
（ａ）ホールドスイッチ８１を本体ケース２８に配備する必要があるので、その分、コスト高となる。
（ｂ）外観上のデザインに関してホールドスイッチ８１の存在はシンプル性を阻害する。
（ｃ）ホールドスイッチ８１について、操作し易くかつ強度を持たせた設計が必要となるが、これは設計上の制約原因となる。
【００１２】
ホールドスイッチ８１を省略してタッチパネル１５におけるユーザ操作によりホールドモードを実施及び解除する図９関連の従来の携帯型オーディオプレーヤでは、ユーザは、携帯型オーディオプレーヤをポケットや鞄等から取り出して、画面を見ながら、ホールドモードを実施及び解除することになるので、切替操作が面倒となる。さらには、ホールド解除操作に加えて他の操作も同時に行なってしまうこともあり、ユーザが望まない処理が行なわれてしまうこともある。
【００１３】
特許文献１は、ハードスイッチを省略したユーザ操作を示すものの、ホールド機能についての言及がない。
【００１４】
本発明の目的は、ホールド切替機能をタッチパネルで行なう携帯型電子機器において、容易に誤操作なくホールド機能の切替を行うことができる携帯型電子機器、方法及びプログラムを提供することである。
【課題を解決するための手段】
【００１５】
本発明によれば、加速度検出器が、携帯型電子機器に装備されて、携帯型電子機器に作用する加速度を検出するようになっている。加速度検出器は、ユーザが携帯型電子機器を振動させたことに因る加速度を検出する。そして、加速度検出器による加速度の検出に伴い、ホールド機能を作動及び／又は解除する。
【００１６】
本発明の携帯型電子機器は次のものを備える。
ユーザ操作部として作動するタッチパネル、
加速度を検出する加速度検出器、及び
前記タッチパネルにおけるユーザ操作の無効期間及び有効期間の切替を前記加速度検出器の出力に基づき制御するホールドモード制御手段。
【００１７】
本発明の制御方法は、ユーザ操作部として作動するタッチパネルを備える携帯型電子機器に適用され、次のステップを備える。
前記携帯型電子機器に作用する加速度を検出する加速度検出ステップ、及び
前記タッチパネルにおけるユーザ操作の無効期間及び有効期間の切替を前記加速度検出ステップにおける加速度の検出に基づき制御するホールドモード制御ステップ。
【００１８】
本発明のプログラムは、本発明の制御方法の各ステップをコンピュータに実行させる。
【発明の効果】
【００１９】
本発明によれば、ユーザは。携帯型電子機器を振るなどして、携帯型電子機器に加速度を加えれば、携帯型電子機器のホールド機能が作動及び／又は解除するようになっているので、機械的なホールドスイッチを省略することができる。また、ユーザは、タッチパネルを操作画面を見ることなく容易にかつ誤操作なく、携帯型電子機器のホールド機能を作動及び／又は解除することができる。
【図面の簡単な説明】
【００２０】
【図１】携帯型オーディオプレーヤのハードウェア構成図である。
【図２】携帯型オーディオプレーヤの外観図である。
【図３】携帯型オーディオプレーヤにおけるホールド切替制御のフローチャートである。
【図４】携帯型オーディオプレーヤの上位概念としての携帯型電子機器のブロック図である。
【図５】図４の携帯型電子機器に適用される携帯型電子機器制御方法のフローチャートである。
【図６】従来の携帯型オーディオプレーヤの外観図である。
【図７】従来の携帯型オーディオプレーヤのハードウェア構成図である。
【図８】従来の携帯型オーディオプレーヤにおけるホールド切替制御のフローチャートである。
【図９】ホールドモードの切替をタッチパネルにおけるユーザ操作により行う従来の携帯型オーディオプレーヤにおけるホールド切替制御のフローチャートである。
【発明を実施するための形態】
【００２１】
図１の携帯型オーディオプレーヤ１０のハードウェア構成図において、携帯型オーディオプレーヤ１０はユーザの掌に載る寸法及び重量となっており、携帯時では、ユーザのポケットや鞄等に収納される。ＣＰＵ（Central Processing Unit）／ＤＳＰ（Digital Signal Processor）１１は、通信部１２、プログラム格納用フラッシュメモリ１３、ＤＲＡＭ（Dynamic Random Access Memory）１４、タッチパネル１５、ＬＣＤ（Liquid Crystal Display）表示部１６、データ格納部１７、オーディオコーデック部１８及びセンサ部１９との間でデータの入力及び／又は出力を行うようになっている。
【００２２】
通信部１２は、ネットワークに接続するＷｉｆｉ（Wireless Fidelity）／ＷｉＭＡＸ（Worldwide Interoperability for Microwave Access）、携帯電話回線に繋ぐ機能やＢｌｕｅＴｏｏｔｈなどである。プログラム格納用フラッシュメモリ１３は、プログラムを格納している。ＤＲＡＭ１４は演算時の一時的なデータを保存する。タッチパネル１５は、ユーザが携帯型オーディオプレーヤ１０に対して所定の指示を出すときに、指で所定の部位にタッチされる。ＬＣＤ表示部１６は、タッチパネル１５の下側においてタッチパネル１５と積層状態で配設される。ＬＣＤ表示部１６に表示された情報は、透明のタッチパネル１５を介してタッチパネル１５の外面側からユーザにより視認されるようになっている。
【００２３】
データ格納部１７は、音楽、動画のコンテンツやメール、設定等のさまざまなデータを格納する。オーディオコーデック部１８は、ＣＰＵ／ＤＳＰ１１とマイク／ライン入力端子２３及びスピーカ／イヤホン出力端子２４との間に介在して、ＣＰＵ／ＤＳＰ１１からのデジタルオーディオ信号の入力に対しては、該入力を伸長してからアナログオーディオ信号へ変換して、マイク／ライン入力端子２３へ出力する。オーディオコーデック部１８は、また、スピーカ／イヤホン出力端子２４からのアナログオーディオ信号の入力に対しては、該入力をデジタル信号へ変換してから圧縮して、ＣＰＵ／ＤＳＰ１１へ出力する。センサ部１９は、ＧＰＳ（Global Positioning System）処理に使用するジャイロセンサや地磁気センサや、ゲームなどのＵＩ（User Interface）に使用する加速度センサなどを含む。
【００２４】
図２（ａ）及び（ｂ）は横長状態で携帯型オーディオプレーヤ１０の正面及び側面を見た外観図である。本体ケース２８は正面視で長方形であり、タッチパネル１５及びＬＣＤ表示部１６は、本体ケース２８と同様に長方形であり、長辺及び短辺を本体ケース２８の長辺及び短辺に沿わせて、本体ケース２８の正面に配備される。タッチパネル１５及びＬＣＤ表示部１６は、それぞれ上層及び下層の関係で積層されている。タッチパネル１５へのユーザ指示は、ユーザが指をタッチパネル１５にタッチ操作する他に、押圧棒の先端部をタッチパネル１５の対応部位に押圧することにより行われる。携帯型オーディオプレーヤ１０は、図２（ａ）のように横長で使用されてもよいし、図２（ａ）に対して９０°回転して、縦長状態で使用することもできる。携帯型オーディオプレーヤ１０では、携帯型オーディオプレーヤ８０（図６）の長辺側の側面にあったホールドスイッチ８１が省略されている。
【００２５】
ユーザは片手で携帯型オーディオプレーヤ１０を把持して、携帯型オーディオプレーヤ１０を例えばＡ方向へ振ると、振動がセンサ部１９の加速度センサにより検出される。なお、センサ部１９の加速度センサは、相互に直角の３軸のいずれの軸方向の加速度を検出可能とするものであってもよく、その場合、図２の方向Ａはユーザの上下方向、左右方向及び前後方向のどれであってもよいとする。
【００２６】
図３（ａ）及び（ｂ）は携帯型オーディオプレーヤ１０に適用される操作待ち受けモード開始方法３８及びホールドモード開始方法４８のフローチャートである。操作待ち受けモード開始方法３８において、携帯型オーディオプレーヤ１０がホールドモードにあるとき（Ｓ３９）、ユーザが本体ケース２８を振ると（Ｓ４０）、ホールドモードが解除される（Ｓ４１）。これに伴い、ＬＣＤ表示部１６の奥に配設されているバックライトがオン（点灯状態）となり、タッチパネル１５は操作待ち受け状態になる（Ｓ４２）。これにより、タッチパネル１５への指又は押圧棒の押圧による種々のユーザ指示が受付けられて、対応の処理が実行される。
【００２７】
ホールドモード開始方法４８では、ＬＣＤ表示部１６における操作待ち受けモードにあるとき（Ｓ４９）、ユーザが本体ケース２８を振ると（Ｓ５０）、ホールドモードへ切替わる（Ｓ５１）。これ以降は、タッチパネル１５への一切の押圧が無効になり、ホールドモードへの切替直前までのユーザ操作に係る処理が保持される。
【００２８】
なお、Ｓ４０，Ｓ５０における本体ケース２８の振動は、センサ部１９における加速度センサの加速度から検出される。また、当然のことながら、加速度センサが検出する加速度には、ユーザによる意図的な振り以外に、ユーザの歩行に伴う振動や、電車やバスへの乗車中の振動に起因するものも含まれてしまう。ユーザによる意図的な振り以外に起因する加速度に対してはホールド機能の切替を禁止しなければならない。したがって、所定の閾値を設定し、ユーザによる意図的な振りに因る加速度は該閾値以上であるとして、該閾値以上の加速度が加速度センサにより検出されたときのみ、ホールド機能の実施及び解除を行うことになる。
【００２９】
このように、携帯型オーディオプレーヤ１０では、ユーザが本体ケース２８を振るごとに、操作待ち受けモードとホールドモードとが交互に切替えられる。
【００３０】
携帯型オーディオプレーヤ１０の変形例について述べる。携帯型オーディオプレーヤ１０では、センサ部１９の加速度センサが本体ケース２８に対する任意の方向の加速度を検出しているが、加速度の方向を判別するようにすることもできる。例えば、携帯型オーディオプレーヤ１０の上下方向及び左右方向の加速度を判別して検出するようにする。携帯型オーディオプレーヤ１０の上下方向及び左右方向の内の一方及び他方の方向をそれぞれ第１及び第２の方向と定義して、第１の方向について閾値Ｄａ以上の加速度が検出されると、操作待ち受けモードからホールドモードへ切替えることにし、第２の方向について閾値Ｄｂ（Ｄｂ＝Ｄａでも、Ｄｂ≠Ｄａでも可。）以上の加速度が検出されると、ホールドモードから操作待ち受けモードへ切替えるようにしてもよい。この場合、ユーザは、現在のモードがホールドモード及び操作待ち受けモードのどちらになっているかを確認することなく、ホールドモードへ切替えたい場合には、第１の方向へ本体ケース２８を振り、操作待ち受けモードへ切替えたい場合には、第２の方向へ本体ケース２８を振ることができる。
【００３１】
なお、通常の本体ケース２８は、正方形ではなく、長方形の薄型であり、ユーザは、相互に直角の３つの方向を本体ケース２８の長辺方向、短辺方向及び厚さ方向に対応付けて認識することができる。また、ユーザは、本体ケース２８を一々視認することなく、本体ケース２８を握った感覚で本体ケース２８の長辺方向、短辺方向及び厚さ方向を認識することができる。
【００３２】
人が問いに対して肯定する場合には、首を上下に振り、否定する場合には、首を左右に振る。ユーザは、第１及び第２の方向が本体ケース２８に対するどちらの方向かを記憶することが煩わしい。したがって、携帯型オーディオプレーヤ１０を上下方向（携帯型オーディオプレーヤ１０の上下左右は一般にはＬＣＤ表示部１６の正面視で上下左右を携帯型オーディオプレーヤ１０の上下左右に対応付ける。）に振る場合には、ホールドモードへの切替指示とし、また、ＬＣＤ表示部１６の画面に対して左右方向に振る場合には、操作待ち受けモードへの切替指示とすることが、ユーザの記憶負担を軽減させて、有利である。
【００３３】
加速度の方向ではなく、加速度の作用時間（＝ユーザが本体ケース２８を振る時間）をタイマで測定して、本体ケース２８に対して所定の大きさＤ以上の加速度が所定時間Ｔ１以上でＴ２未満（Ｔ２＞Ｔ１）、作用した場合及び所定時間Ｔ２以上作用した場合をそれぞれ短振り及び長振りと呼ぶことにする。短振り及び長振りの一方及び他方をそれぞれホールドモードへの切替及び操作待ち受けモードへの切替に対応付けてもよい。
【００３４】
短振り及び長振りを、振り時間ではなく、振りの強さに対応付けることも可能である。例えば、Ｅａ以上でＥｂ（Ｅｂ＞Ｅａ）未満の加速度が時間Ｔａ以上継続したときは、短振りとする。また、Ｅｂ以上の加速度が時間Ｔａ以上継続したときは、長振りとする。
【００３５】
また、短振り及び長振りをモールス信号の"ト"及び"ツー"に対応付けて、ユーザが本体ケース２８に対して行った振動のパターンを識別して検出することにしてもよい。そして、予め設定しておいた第１及び第２の振動パターンが検出されたならば、それぞれホールドモードへの切替及び操作待ち受けモードへの切替を行うようにすることもできる。
【００３６】
図４は携帯型電子機器６０のブロック図である。携帯型オーディオプレーヤ１０は携帯型電子機器６０の一例である。携帯型電子機器６０は、携帯型電子機器６０の他に、ゲーム機、携帯電話機、携帯型情報処理装置、携帯型無線機又はその他の携帯型電子機器であってもよい。携帯型電子機器６０は、タッチパネル６１、加速度検出器６２及びホールドモード制御手段６３を備える。
【００３７】
タッチパネル６１は、ユーザ操作部として作動する。加速度検出器６２は携帯型電子機器６０に作用する加速度を検出する。ホールドモード制御手段６３は、タッチパネル６１におけるユーザ操作の無効期間及び有効期間の切替を加速度検出器６２の出力に基づき制御する。
【００３８】
タッチパネル６１におけるユーザ操作の無効期間及び有効期間を、簡略的に呼ぶために、それぞれ「ホールド期間」及び「ホールド解除期間」と、適宜呼ぶことにする。携帯型電子機器６０におけるホールド期間及びホールド解除期間は、携帯型オーディオプレーヤ１０におけるホールド期間及び操作待ち受け期間にそれぞれ対応する。加速度検出器６２が検出する加速度は、任意の方向であってもよいし、特定の方向のみの加速度としてもよい。特定の方向としては、携帯型電子機器６０の上下方向、左右方向及び厚さ方向の１つ又は２つを選択することができる。
【００３９】
ユーザが、携帯型電子機器６０を携帯して、歩行している期間や、バスや電車にマイカーに乗っている期間では、携帯型電子機器６０には、ユーザによる意図的な加速度とは別にノイズ的な加速度が作用する。典型的には、ユーザによる意図的な加速度とノイズ的な加速度とを区別するために、所定の閾値Ｕを設定し、ホールドモード制御手段６３は、加速度検出器６２がＵ以上の加速度を検出したときに、ホールド期間又はホールド解除期間へ切替えることができる。
【００４０】
こうして、ユーザは、ホールド期間及びホールド解除期間の切替を、表示部の表示を見ることなく指示することができるとともに、該切替を指示するユーザ操作部材を携帯型電子機器６０から省略することができる。
【００４１】
例えば、加速度検出器６２は、相互に直角の第１及び第２の方向の加速度を検出し、ホールドモード制御手段６３は、加速度検出器６２が第１の方向の加速度を検出したときは、ホールド解除期間からホールド期間へ切替え、また、加速度検出器６２が第２の方向の加速度を検出したときは、ホールド期間からホールド解除期間へ切替える。
【００４２】
加速度検出器６２が閾値Ｕ以上の加速度を検出するごとに、ホールド期間とホールド解除期間とを交互に切替える場合には、ユーザは、携帯型電子機器６０がすでにホールド期間になっているのに、それを忘れてしまったか、気付かず、携帯型電子機器６０をホールド期間に切替えようとして、携帯型電子機器６０を振ってしまうことがある。この場合、ユーザは、携帯型電子機器６０をホールド期間にするつもりなのに、携帯型電子機器６０はホールド解除期間になってしまう。第１及び第２の方向の加速度をそれぞれホールド期間及びホールド解除期間への切替にそれぞれ対応付けることにより、ユーザは、ホールド期間への切替及びホールド解除期間への切替を、携帯型電子機器６０をそれぞれ第１及び第２の方向へ振ることにより指示することができるので、ユーザは、現在の状態がホールド期間及びホールド解除期間のどちらであるかが分からなくても、意図どおりの切替を実施することができる。
【００４３】
第１及び第２の方向とは、携帯型電子機器６０の上下方向及び左右方向とする。通常の携帯型電子機器６０は、長方形の薄型等になっているので、上下方向と左右方向とが手触りで判断可能になっているので、ユーザは、タッチパネル６１の画面を見ることなく、携帯型電子機器６０の上下方向と左右方向とを判断して、意図する方向の加速度を携帯型電子機器６０に加えることができる。そして、人が「はい」及び「いいえ」の返事をする場合、それぞれ首を上下方向及び左右方向に振るので、ホールド期間及びその解除期間への切替を上下方向及び左右方向への加速度に対応付けることにより、ユーザは、ホールド期間及びその解除期間への切替がどの方向に対応付けられているかについての暗記する負担を軽減される。なお、携帯型電子機器６０が上下方向を縦長及び横長のどちらにでもできる場合には、第１の方向を例えばデフォルト時の上下方向に設定する。
【００４４】
ホールドモード制御手段６３は、所定の加速度での加速度検出器６２による出力に基づき制御することができる。加速度検出器６２の出力の基にする所定の加速度の具体例は、携帯型オーディオプレーヤ１０の変形例で説明した短振り、長振り、又はそれらの組み合わせとしての振動パターンを含む。ユーザは、種々の作用時間、大きさ、又はそれらの組合せとする所定の加速度を携帯型電子機器６０に与えることができる。
【００４５】
図５は携帯型電子機器制御方法７０のフローチャートである。携帯型電子機器制御方法７０は携帯型電子機器６０に適用される。Ｓ７１では、携帯型電子機器６０に作用する加速度を検出する。Ｓ７２では、タッチパネル６１におけるユーザ操作の無効期間及び有効期間の切替を加速度の検出に基づき制御する。
【００４６】
Ｓ７１，Ｓ７２の処理は、携帯型電子機器６０の加速度検出器６２及びホールドモード制御手段６３の機能にそれぞれ対応している。したがって、加速度検出器６２及びホールドモード制御手段６３の機能について述べた具体的態様はＳ７１，Ｓ７２の処理についての具体的態様としても適用可能である。
【００４７】
本発明を適用したプログラムは、コンピュータを携帯型電子機器６０の各手段として機能させる。本発明を適用した別のプログラムは、携帯型電子機器制御方法７０の各ステップをコンピュータに実行させる。
【００４８】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００４９】
６０：携帯型電子機器、６１：タッチパネル、６２：加速度検出器、６３：ホールドモード制御手段、７０：携帯型電子機器制御方法。
【図１】
2010257189.tif 000003
【図２】
2010257189.tif 000004
【図３】
2010257189.tif 000005
【図４】
2010257189.tif 000006
【図５】
2010257189.tif 000007
【図６】
2010257189.tif 000008
【図７】
2010257189.tif 000009
【図８】
2010257189.tif 000010
【図９】
2010257189.tif 000011